(57)【要約】      （修正有）【課題】客を収容するエリアでは感知器発報放送を行わない避難誘導システムを提供する。【解決手段】客を収容する客エリア（劇場エリア）と、客エリアの管理人が執務する管理人エリア（劇場事務室）とを含む防火対象物において、防災センタの放送設備制御盤は、管理人エリアでは感知器発報放送を行う一方で、客エリアでは感知器発報放送を行わない。一方、火災放送については、管理人エリアと客エリアの両方で行う。【選択図】図３
2020144419.tif 000002
【特許請求の範囲】
【請求項１】
客を収容する客エリアと、当該客エリアの管理人が執務する管理人エリアとを含む防火対象物のための避難誘導システムであって、
前記防火対象物の各所に設置される感知器と、
前記防火対象物の各所に設置される発信機と、
前記防火対象物の各所に設置されるスピーカと、
前記感知器が作動すると又は前記発信機が操作されると、移報信号を出力する受信部と、
前記スピーカを通じて非常放送を行う放送設備制御部と
を備え、
前記放送設備制御部は、前記受信部から感知器発報信号を受信すると、前記管理人エリアに設置されたスピーカを通じて感知器発報放送を行う一方で、前記客エリアに設置されたスピーカを通じては感知器発報放送を行わず、
前記放送設備制御部は、前記受信部から火災確定信号を受信すると、前記管理人エリアに設置されたスピーカを通じて火災放送を行うとともに、前記客エリアに設置されたスピーカを通じて火災放送を行う
ことを特徴とする避難誘導システム。
【請求項２】
前記客エリアは劇場エリアであり、
前記管理人エリアは劇場事務室である
ことを特徴とする請求項１に記載の避難誘導システム。
【請求項３】
前記放送設備制御部は、非火災放送スイッチが操作されると、前記管理人エリアに設置されたスピーカを通じて非火災放送を行う一方で、前記客エリアに設置されたスピーカを通じては非火災放送を行わないことを特徴とする請求項１又は２に記載の避難誘導システム。
【請求項４】
前記客エリアの各所に設置される誘導灯と、
前記誘導灯の点灯を制御する誘導灯信号装置と
をさらに備え、
前記誘導灯信号装置は、前記誘導灯が消灯時に前記受信部から火災確定信号を受信すると、前記誘導灯を点灯させることを特徴とする請求項１乃至３のいずれか１項に記載の避難誘導システム。
【請求項５】
前記客エリアに設置される表示装置であって、火災放送時に前記誘導灯を点灯させることを通知するメッセージを表示する表示装置をさらに備えることを特徴とする請求項４に記載の避難誘導システム。
【発明の詳細な説明】
【技術分野】
【０００１】
本発明は、避難誘導システムに関する。
【背景技術】
【０００２】
従来、建物内で火災が発生した場合に在館者の避難を支援するための避難誘導システムが知られている。例えば、特許文献１には、火災報知設備と連動して非常放送を行う非常放送設備が記載されている。この非常放送設備は、建物内の感知器が発報すると感知器発報放送を行い、その後、火災が確認されると火災放送を行い、非火災が確認されると非火災放送を行う。
【先行技術文献】
【特許文献】
【０００３】
【特許文献１】特開２０１５−２３１１８５号公報
【発明の概要】
【発明が解決しようとする課題】
【０００４】
感知器の発報は、感知器の誤作動が原因で行われる場合がある。そのため、防火対象物によっては、感知器発報の段階では非常放送を行わず、実際に火災が確認されてから非常放送を行いたいという要請がある。例えば、劇場を有する防火対象物では、感知器発報放送により劇場公演を中断させたくないという事情がある。
【０００５】
本発明は、このような事情に鑑みてなされたものであり、客を収容するエリアで感知器発報放送を行わない避難誘導システムを提供する。
【課題を解決するための手段】
【０００６】
上記の課題を解決するため、本発明に係る避難誘導システムは、客を収容する客エリアと、当該客エリアの管理人が執務する管理人エリアとを含む防火対象物のための避難誘導システムであって、前記防火対象物の各所に設置される感知器と、前記防火対象物の各所に設置される発信機と、前記防火対象物の各所に設置されるスピーカと、前記感知器が作動すると又は前記発信機が操作されると、移報信号を出力する受信部と、前記スピーカを通じて非常放送を行う放送設備制御部とを備え、前記放送設備制御部は、前記受信部から感知器発報信号を受信すると、前記管理人エリアに設置されたスピーカを通じて感知器発報放送を行う一方で、前記客エリアに設置されたスピーカを通じては感知器発報放送を行わず、前記放送設備制御部は、前記受信部から火災確定信号を受信すると、前記管理人エリアに設置されたスピーカを通じて火災放送を行うとともに、前記客エリアに設置されたスピーカを通じて火災放送を行うことを特徴とする。
【０００７】
好ましい態様において、前記客エリアは劇場エリアであり、前記管理人エリアは劇場事務室である。
【０００８】
さらに好ましい態様において、前記放送設備制御部は、非火災放送スイッチが操作されると、前記管理人エリアに設置されたスピーカを通じて非火災放送を行う一方で、前記客エリアに設置されたスピーカを通じては非火災放送を行わない。
【０００９】
さらに好ましい態様において、前記避難誘導システムは、前記客エリアの各所に設置される誘導灯と、前記誘導灯の点灯を制御する誘導灯信号装置とをさらに備え、前記誘導灯信号装置は、前記誘導灯が消灯時に前記受信部から火災確定信号を受信すると、前記誘導灯を点灯させる。
【００１０】
さらに好ましい態様において、前記避難誘導システムは、前記客エリアに設置される表示装置であって、火災放送時に前記誘導灯を点灯させることを通知するメッセージを表示する表示装置をさらに備える。
【発明の効果】
【００１１】
本発明に係る避難誘導システムによれば、客を収容するエリアで感知器発報放送を行わない。
【図面の簡単な説明】
【００１２】
【図１】防火対象物の一例を示す図
【図２】ホール棟Ｂ２のフロアマップの一例を示す図
【図３】避難誘導システムの主な構成の一例を示すブロック図
【図４】避難誘導システムの動作例を示すシーケンス図
【発明を実施するための形態】
【００１３】
１．実施形態
本発明の一実施形態に係る避難誘導システムについて、図面を参照して説明する。
１−１．構成
図１は、本避難誘導システムの防火対象物の一例を示す図である。同図に示す防火対象物は、オフィス・ホテル棟Ｂ１とホール棟Ｂ２を有する複合用途の建物である。この防火対象物が有するオフィス・ホテル棟Ｂ１は、事務所、ホテル、店舗、防災センタ等を含む建物である。一方、ホール棟Ｂ２は劇場である。ここで劇場とは、演劇、映画、舞踊等を観客に見せるための建物である。オフィス・ホテル棟Ｂ１とホール棟Ｂ２は、廊下Ｐで接続されている。
【００１４】
図２は、ホール棟Ｂ２のフロアマップの一例を示す図である。同図に示すホール棟Ｂ２は、劇場事務室Ａ１（太枠で囲まれたエリア）と、劇場事務室を除くエリアである劇場エリアＡ２（太枠で囲まれたエリアを除くすべてのエリア）を有する建物である。このホール棟Ｂ２が有する劇場事務室Ａ１は、劇場エリアＡ２の従業員が執務する部屋である。一方、劇場エリアＡ２は、舞台、観客席、楽屋、ホワイエ、廊下等を含むエリアである。
【００１５】
図３は、避難誘導システムの主な構成の一例を示すブロック図である。同図は特に、ホール棟Ｂ２と防災センタに設置される機器について示している。同図に示す避難誘導システムは、大略、火災監視システム１、非常放送システム２、誘導灯制御システム３、通話システム４及び案内通知システム５を有する。
【００１６】
火災監視システム１は、煙感知器１１、発信機１２、Ｒ型の火災受信機１３、総合操作盤１４及びメッセージ表示機１５を有する。煙感知器１１は、回線を介して火災受信機１３と接続され、周囲の煙濃度を測定して火災受信機１３に出力する。煙感知器１１は、劇場エリアＡ２を含む防火対象物の各所に設置される。発信機１２は、回線を介して火災受信機１３と接続され、操作されると発信機信号を火災受信機１３に出力する。発信機１２は、劇場エリアＡ２を含む防火対象物の各所に設置される。火災受信機１３は、煙感知器１１が作動すると又は発信機１２が操作されると、イベントが発生した警戒区域を表示しつつ、発生イベントの内容とその発生場所を通知する移報信号を、総合操作盤１４、メッセージ表示機１５、非常放送システム２及び誘導灯制御システム３に対して出力する。具体的には、煙感知器１１により測定された煙濃度が閾値を超えると感知器発報信号を出力し、発信機１２から発信機信号を受信すると又は火災受信機１３の火災断定スイッチが操作されると火災確定信号を出力する。この火災受信機１３は防災センタに設置される。総合操作盤１４は、回線を介して火災受信機１３と接続され、火災受信機１３から移報信号を受信すると、イベントが発生した警戒区域と各防災設備の作動状況を表示する。この総合操作盤１４は防災センタに設置される。メッセージ表示機１５は、回線を介して火災受信機１３と接続され、火災受信機１３から移報信号を受信すると、イベントが発生した警戒区域を表示する。このメッセージ表示機１５は劇場事務室Ａ１に設置され、劇場事務室Ａ１で執務する従業員は、このメッセージ表示機１５を見ることで、発生したイベントの内容とその発生場所を知ることができる。
【００１７】
次に、非常放送システム２は、スピーカ２１、放送設備制御盤２２及び放送設備遠隔操作器２３を有する。スピーカ２１は、回線を介して放送設備制御盤２２と接続され、劇場事務室Ａ１と劇場エリアＡ２を含む防火対象物の各所に設置される。放送設備制御盤２２は、回線を介して火災受信機１３と接続され、スピーカ２１を通じて非常放送を行う。具体的には、煙感知器１１が作動したことを通知する感知器発報放送と、火災が発生したことを通知する火災放送と、火災の発生が確認されなかったことを通知する非火災放送を行う。
【００１８】
これらの非常放送のうち感知器発報放送は、火災受信機１３から第１報の感知器発報信号が受信されると行われる。その際、煙感知器１１が作動した場所がオフィス・ホテル棟Ｂ１の地階又は２階以上である場合には、イベント発生階及び直上階で感知器発報放送が行われる。一方、煙感知器１１が作動した場所がオフィス・ホテル棟Ｂ１の１階又はホール棟Ｂ２である場合には、オフィス・ホテル棟Ｂ１の地階から２階及びホール棟Ｂ２で感知器発報放送が行われる。ただし、ホール棟Ｂ２のうち、劇場事務室Ａ１では感知器発報放送が行われるが、劇場エリアＡ２では感知器発報放送は行われない。これは、感知器発報放送により劇場公演を中断させないためである。
【００１９】
次に、火災放送は、以下の３つの条件のうちのいずれか１つが満たされると行われる。  
（１）火災受信機１３から火災確定信号を受信する。
（２）火災受信機１３から第１報の感知器発報信号を受信した後に第２報の感知器発報信号を受信する。
（３）火災受信機１３から第１報の感知器発報信号を受信した後に一定時間が経過する。
【００２０】
火災放送を行うにあたり、オフィス・ホテル棟Ｂ１の地階又は２階以上で火災が発生した場合には、まず出火階及び直上階で区分放送を行い、その後一定時間経過後にオフィス・ホテル棟Ｂ１全体で一斉放送を行う。ここで、ホール棟Ｂ２で火災放送を行わない理由は、オフィス・ホテル棟Ｂ１とホール棟Ｂ２は防火区画されているからである。一方、オフィス・ホテル棟Ｂ１の１階又はホール棟Ｂ２で火災が発生した場合には、まずオフィス・ホテル棟Ｂ１の地階から２階及びホール棟Ｂ２で区分放送を行い、その後一定時間経過後にオフィス・ホテル棟Ｂ１及びホール棟Ｂ２全体で一斉放送を行う。なお、火災放送については、ホール棟Ｂ２の劇場事務室Ａ１と劇場エリアＡ２の両方で行われる。
【００２１】
次に、非火災放送は、放送設備制御盤２２の非火災放送スイッチが操作されると行われる。その際、煙感知器１１が作動した場所がオフィス・ホテル棟Ｂ１の地階又は２階以上であった場合には、イベント発生階及び直上階で非火災放送が行われる。一方、煙感知器１１が作動した場所がオフィス・ホテル棟Ｂ１の１階又はホール棟Ｂ２であった場合には、オフィス・ホテル棟Ｂ１の地階から２階及びホール棟Ｂ２で非火災放送が行われる。ただし、ホール棟Ｂ２のうち、劇場事務室Ａ１では非火災放送が行われるが、劇場エリアＡ２では非火災放送は行われない。これは、非火災放送により劇場公演を中断させないためである。
【００２２】
放送設備制御盤２２は防災センタに設置される。
【００２３】
放送設備遠隔操作器２３は、回線を介して放送設備制御盤２２に接続され、劇場事務室Ａ１に設置される。劇場事務室Ａ１で執務する従業員は、この放送設備遠隔操作器２３を用いて、放送設備制御盤２２を遠隔操作することができる。
【００２４】
次に、誘導灯制御システム３は、誘導灯３１、誘導灯信号装置３２及び遠隔制御スイッチ３３を有する。誘導灯３１は、回線を介して誘導灯信号装置３２に接続され、劇場エリアＡ２を含む防火対象物の各所に設置される。誘導灯３１は、具体的には、避難口誘導灯、通路誘導灯及び客席誘導灯である。誘導灯信号装置３２は、回線を介して火災受信機１３と接続され、誘導灯３１の点灯を制御する。特に、劇場エリアＡ２に設置された誘導灯３１については、消灯時に火災受信機１３から火災確定信号を受信すると、点灯させる。これは、劇場エリアＡ２にいる観客の避難を支援するためである。その一方で、感知器発報時には誘導灯３１を点灯させない。これは、誘導灯３１を点灯させることで公演の妨げになるのを防ぐためである。遠隔制御スイッチ３３は、回線を介して誘導灯信号装置３２に接続され、劇場エリアＡ２内に設置される。劇場エリアＡ２の従業員は、この遠隔制御スイッチ３３を用いて、誘導灯信号装置３２を遠隔操作することができる。例えば、劇場公演中に公演の妨げにならないように、この遠隔制御スイッチ３３を用いて、劇場エリアＡ２に設置された誘導灯３１を消灯させる。
【００２５】
次に、通話システム４は、互いに回線で接続される同時通話装置４１及び４２を有する。同時通話装置４１及び４２はインターホンであり、同時通話装置４１は防災センタに設置され、同時通話装置４２は劇場事務室Ａ１に設置される。防災センタの勤務員と劇場事務室Ａ１の従業員は、この同時通話装置４１及び４２を用いて、情報交換を行うことができる。
【００２６】
次に、案内通知システム５は、スピーカ５１、業務放送設備５２、表示装置５３及び遠隔制御スイッチ５４を有する。スピーカ５１は、回線を介して業務放送設備５２と接続され、劇場エリアＡ２の各所に設置される。業務放送設備５２は、劇場エリアＡ２内の業務放送を行うための放送設備である。この業務放送設備５２は特に、開演前に防災メッセージを放送するために使用される。ここで防災メッセージとは、劇場公演中は劇場エリアＡ２内の誘導灯３１を消灯し、火災発生時には点灯させることと、劇場エリアＡ２では感知器発報放送と非火災放送を省略し、火災放送のみを行うことを通知するメッセージである。劇場エリアＡ２の従業員は、この業務放送設備５２を操作して、開演前に防災メッセージを放送する。この業務放送設備５２は劇場エリアＡ２内に設置される。表示装置５３は、上記の防災メッセージを表示するための表示装置である。具体的には例えば、ＬＥＤ表示器や液晶表示器である。この表示装置５３は劇場エリアＡ２の各所（例えば、劇場内の壁面）に設置される。遠隔制御スイッチ５４は、回線を介して表示装置５３に接続され、劇場エリアＡ２内に設置される。劇場エリアＡ２の従業員は、この遠隔制御スイッチ５４を用いて、表示装置５３を遠隔操作することができる。例えば、公演前に、この遠隔制御スイッチ５４を用いて、防災メッセージを表示させる。防災メッセージは公演前継続的に表示される。
【００２７】
１−２．動作
以上説明した避難誘導システムの動作例について、図４に示すシーケンス図を参照して説明する。以下では特に、ホール棟Ｂ２と防災センタに設置された主な機器の動作例について説明する。
【００２８】
ホール棟Ｂ２の劇場エリアＡ２では、開演前に従業員が業務放送設備５２を操作して上記の防災メッセージを放送させる。また、従業員は遠隔制御スイッチ５４を操作して表示装置５３に上記の防災メッセージを表示させる。このように防災メッセージを放送及び表示することで、劇場公演中は劇場エリアＡ２内の誘導灯３１を消灯し、火災発生時には点灯させることと、劇場エリアＡ２では感知器発報放送と非火災放送を省略し、火災放送のみを行うことを観客に周知させる。そして、開演すると、従業員は遠隔制御スイッチ３３を操作して、劇場エリアＡ２に設置された誘導灯３１を消灯させる。
【００２９】
その後、公演中にホール棟Ｂ２で煙感知器１１が作動したと仮定すると（ステップＳ１）、火災受信機１３は感知器発報信号を放送設備制御盤２２に出力する（ステップＳ２）。感知器発報信号を受信した放送設備制御盤２２は、煙感知器１１が作動した場所がホール棟Ｂ２であるため、ホール棟Ｂ２で感知器発報放送を行う。ただし、ホール棟Ｂ２のうち、劇場事務室Ａ１では感知器発報放送が行う一方で、劇場エリアＡ２では感知器発報放送を行わない（ステップＳ３）。これは、感知器発報放送により劇場公演を中断させないためである。
【００３０】
この感知器発報放送を聞いた又はメッセージ表示機１５で感知器発報を知った劇場事務室Ａ１の従業員は、現場に駆け付けて火災発生の有無を確認する。確認の結果、火災が発生していた場合には、ホール棟Ｂ２内の発信機１２を操作するか、または劇場事務室Ａ１の同時通話装置４２を通じて防災センタの勤務員に対して火災の発生を連絡する。火災発生の連絡を受けた勤務員は、火災受信機１３の火災断定スイッチを操作する。一方、火災が確認できなかった場合には、同時通話装置４２を操作して防災センタの勤務員に対して火災の不発生を連絡する。火災不発生の連絡を受けた勤務員は、放送設備制御盤２２の非火災放送スイッチを操作する。また、防災センタの勤務員も、火災受信機１３で感知器発報を知ると、現場に駆け付けて火災発生の有無を確認する。確認の結果、火災が発生していた場合には、ホール棟Ｂ２内の発信機１２を操作するか、または携帯無線機を通じて防災センタ内の勤務員に対して火災の発生を連絡する。火災発生の連絡を受けた勤務員は、火災受信機１３の火災断定スイッチを操作する。一方、火災が確認できなかった場合には、携帯無線機を通じて防災センタ内の勤務員に対して火災の不発生を連絡する。火災不発生の連絡を受けた勤務員は、放送設備制御盤２２の非火災放送スイッチを操作する。
【００３１】
従業員及び勤務員の確認の結果、火災が確認できなかったと仮定した場合、放送設備制御盤２２の非火災放送スイッチが操作されて（ステップＳ４）、放送設備制御盤２２は、感知器発報放送を行ったホール棟Ｂ２で非火災放送を行う。ただし、ホール棟Ｂ２のうち、劇場事務室Ａ１では非火災放送が行う一方で、劇場エリアＡ２では非火災放送を行わない（ステップＳ５）。これは、非火災放送により劇場公演を中断させないためである。
【００３２】
一方、従業員及び勤務員の確認の結果、火災が発生していた場合と仮定した場合、ホール棟Ｂ２内の発信機１２が操作されるか又は火災断定スイッチが操作されることで（ステップＳ６）、火災受信機１３は火災確定信号を放送設備制御盤２２と誘導灯信号装置３２に出力する（ステップＳ７）。火災確定信号を受信した放送設備制御盤２２は、感知器発報放送を行ったホール棟Ｂ２で火災放送を行う。なお、火災放送については、ホール棟Ｂ２の劇場事務室Ａ１と劇場エリアＡ２の両方で行う（ステップＳ８）。この火災放送を聞いた観客は、従業員による誘導の下、直ちに避難を開始する。一方、火災確定信号を受信した誘導灯信号装置３２は、劇場エリアＡ２内の誘導灯３１を点灯させる（ステップＳ９）。これは、劇場エリアＡ２にいる観客の避難を支援するためである。
以上が、避難誘導システムの動作例についての説明である。
【００３３】
なお、上記の動作例では、火災受信機１３から火災確定信号を受信することを契機として放送設備制御盤２２は火災放送を行っているが、放送設備制御盤２２は、火災受信機１３から第１報の感知器発報信号を受信した後に第２報の感知器発報信号を受信するか、または火災受信機１３から第１報の感知器発報信号を受信した後に一定時間が経過することを契機として火災放送を行ってもよい。
【００３４】
また、上記の動作例では、ホール棟Ｂ２で煙感知器１１が作動したことを契機として放送設備制御盤２２はホール棟Ｂ２で感知器発報放送を行っているが、放送設備制御盤２２は、オフィス・ホテル棟Ｂ１の１階で煙感知器１１が作動したことを契機として感知器発報放送を行ってもよい。
【００３５】
以上説明した避難誘導システムによれば、劇場エリアＡ２では感知器発報放送と非火災放送が行われない。そのため、これらの放送により劇場公演を中断させることがない。また、劇場エリアＡ２内の誘導灯３１は感知器発報時には点灯しない。そのため、誘導灯３１の灯りが公演の妨げになることがない。また、開演前に上記の防災メッセージを放送及び表示することで、劇場公演中は誘導灯３１を消灯し、感知器発報放送を省略すること等を観客に周知させることができる。なお、感知器発報放送を省略する代わりに「感知器作動中」の表示を劇場エリアＡ２内で行うという方法も考えられるが、このような表示は却って観客を不安にさせる可能性がある。その点、上記の防災メッセージを開演前に放送及び表示する方法には、そのような心配がない。
【００３６】
２．変形例
上記の実施形態は、下記のように変形してもよい。下記の変形例は互いに組み合わせてもよい。
【００３７】
２−１．変形例１
劇場エリアＡ２以外の、客を収容する客エリアにおいても、感知器発報放送と非火災放送を省略するようにしてもよい。例えば、博物館や美術館の展示エリアや、宿泊施設の客室エリアや、百貨店の売り場や、飲食店のホール等で、感知器発報放送と非火災放送を省略するようにしてもよい。その場合も、客エリアの管理人が執務する管理人エリアでは感知器発報放送と非火災放送を行う。
【００３８】
２−２．変形例２
煙感知器１１はアナログ式に限られず、感度固定の煙感知器であってもよい。また、避難誘導システムを構成する感知器の種類は煙感知器に限られず、熱感知器や炎感知器であってもよい。また、火災受信機１３はＲ型に限られず、Ｐ型であってもよい。
【００３９】
２−３．変形例３
放送設備制御盤２２は、常に劇場エリアＡ２内の感知器発報放送と非火災放送を省略するのではなく、公演中のみこれらの放送を省略するようにしてもよい。例えば、放送設備制御盤２２を、感知器発報放送と非火災放送を省略する日時と場所を設定可能な装置としてもよい。
【００４０】
２−４．変形例４
業務放送設備５２は、業務放送用のスピーカ５１に代えて、非常放送用のスピーカ２１を通じて防災メッセージを放送してもよい。すなわち、非常放送システム２と案内通知システムとでスピーカを共用してもよい。
【００４１】
２−５．変形例５
放送設備制御盤２２の機能を火災受信機１３に備えさせてもよい。すなわち、放送設備制御盤２２と火災受信機１３を一体型の装置としてもよい。
【符号の説明】
【００４２】
１…火災監視システム、２…非常放送システム、３…誘導灯制御システム、４…通話システム、５…案内通知システム、１１…煙感知器、１２…発信機、１３…火災受信機、１４…総合操作盤、１５…メッセージ表示機、２１…スピーカ、２２…放送設備制御盤、２３…放送設備遠隔操作器、３１…誘導灯、３２…誘導灯信号装置、３３…遠隔制御スイッチ、４１、４２…同時通話装置、５１…スピーカ、５２…業務放送設備、５３…表示装置、５４…遠隔制御スイッチ、Ａ１…劇場事務室、Ａ２…劇場エリア、Ｂ１…オフィス・ホテル棟、Ｂ２…ホール棟、Ｐ…廊下
【図１】
2020144419.tif 000003
【図２】
2020144419.tif 000004
【図３】
2020144419.tif 000005
【図４】
2020144419.tif 000006